(57)【要約】【課題】  基地局の無線リソースの制御、物理層のプログラミング、「レベル２」保護、および基地局の制御下にあるチャネルの基準クロックの同期制御という問題を解決する、通信ネットワーク内資源を制御装置を提供する。【解決手段】資源を有する少なくとも１つの基地局と、コアネットワークに接続され、かつインタフェースを介してその資源を制御するために基地局に接続された、少なくとも１つの地上ノードとを含む、通信設備のためのデータ管理装置が、トラフィックソースおよびインタフェースに結合された制御装置を含み、この制御装置が、トラフィックソースと基地局との間のデータ伝送を可能にするために、コマンドに従って、ノードの代わりに基地局の資源の少なくとも一部分のローカルな制御を行うことができる。【選択図】      図２
2004166225.tif 000002
【特許請求の範囲】
【請求項１】
資源を有する少なくとも１つの基地局と、コアネットワークに接続され、かつインタフェースを介してその資源を制御するために前記基地局に接続された、少なくとも１つの地上ノードとを含む、通信設備のためのデータ管理装置であって、トラフィックソースおよび前記インタフェースに結合されるように構成され、かつ前記トラフィックソースと前記基地局の間のデータ伝送を可能にするために、前記ノードの代わりに前記基地局の前記資源の少なくとも一部分のローカルな制御を、コマンドに従って行うように構成された制御手段を含む装置。
【請求項２】
前記制御手段が、
前記基地局によって管理される少なくとも１つのセルの少なくとも一部分の構成および関連する資源を管理し、
前記基地局によって管理されるデータ移送チャネルの構成の少なくとも一部分を制御し、
前記基地局によって生成され、基地局の資源の状況を表す「資源」イベントを管理し、
前記基地局と前記ノードが同一の構成情報を保持することを確認するように、
前記資源の管理専用であるプロトコルスタックの少なくとも一部分を含む、請求項１に記載の装置。
【請求項３】
前記制御手段が、前記基地局の制御下にあるチャネルの同期管理専用である前記プロトコルスタックの少なくとも前記部分を含む、請求項１に記載の装置。
【請求項４】
資源管理および同期専用の前記プロトコルスタックの前記部分が、ノードＢアプリケーション部プロトコルの少なくとも一部分と、無線資源制御プロトコルの少なくとも一部分と、フレームプロトコルの少なくとも一部分と、無線リンク制御プロトコルの少なくとも一部分と、メディアアクセス制御プロトコルの少なくとも一部分と、パケットデータコンバージェンスプロトコルの少なくとも一部分と、ブロードキャスト／マルチキャスト制御プロトコルの少なくとも一部分とを含む群から選択される、請求項２に記載の装置。
【請求項５】
前記制御手段が、前記トラフィックソースからのトラフィックと、前記ノードからの前記トラフィックとをフィルタリングするように構成されたフィルタモジュールを含む、請求項１に記載の装置。
【請求項６】
前記制御手段が、
前記基地局によって管理されるセル内に位置する少なくとも１つのユーザ機器に、前記トラフィックソースからのトラフィックを伝送するよう求める要求を受信すると、資源確保要求を前記基地局へ送信し、
資源が利用可能かどうかを示す、前記基地局によって生成された応答メッセージを受信すると、前記利用可能な資源が封鎖されていることを示すメッセージを前記ノードに送信し、
前記トラフィックソースからの前記トラフィックが終了すると、使用されていた前記資源を解放するためのメッセージを前記基地局に、また、前記資源の封鎖が解除されたことを伝えるメッセージを前記ノードに送信するように構成される、請求項１に記載の装置。
【請求項７】
前記制御手段が、資源が封鎖されたことを示す前記メッセージを前記ノードに送信するように構成されたメッセージ生成モジュールを含む、請求項６に記載の装置。
【請求項８】
無線によって第１および第２の周波数で、それぞれ前記基地局によって管理されるセル内に位置するユーザ機器と、前記基地局とに、前記トラフィックソースからデータを伝送するように構成された手段を含む設備において、前記制御手段が、前記第１および第２の周波数における前記データの伝送時間の差を表す伝送差を計算し、かつ受信したデータを、計算された差に実質的に等しい分だけ遅延させて前記基地局に送信するように構成された、請求項３に記載の装置。
【請求項９】
前記差が、前記衛星伝送手段および／または前記基地局のカバー領域の大きさの関数である、請求項８に記載の装置。
【請求項１０】
前記制御手段が、前記トラフィックソースからのトラフィックと前記ノードからのトラフィックとの間の前記伝送時間の差を計算するように構成された同期アダプタモジュールを含む、請求項８に記載の装置。
【請求項１１】
接続インタフェースを備えるモジュールをさらに含む、請求項１に記載の装置。
【請求項１２】
前記モジュールが、前記接続インタフェースを介して前記基地局に接続されるように構成される、請求項１１に記載の装置。
【請求項１３】
前記モジュールが、前記トラフィックソースから供給を受ける前記基地局および衛星に結合された衛星端末に、前記接続インタフェースを介して接続されるように構成される、請求項１１に記載の装置。
【請求項１４】
前記基地局内に設置されるように構成される、請求項１に記載の装置。
【請求項１５】
前記トラフィックソースから供給を受ける前記基地局および衛星に結合された衛星端末内に設置されるように構成される、請求項１に記載の装置。
【請求項１６】
資源を有する少なくとも１つの基地局と、第１のコアネットワークに接続され、かつ、インタフェースを介してその資源を制御するために前記基地局に接続された、少なくとも１つの地上ノードとを含み、請求項１から１５のいずれか一項に記載の装置を含む通信設備。
【請求項１７】
衛星アクセスネットワークをさらに含む、請求項１６に記載の設備。
【請求項１８】
前記衛星アクセスネットワークが、前記ノードに接続された少なくとも１つの衛星ゲートウェイと、前記基地局の１つに接続された少なくとも１つの衛星端末と、無線によって前記衛星ゲートウェイおよび前記衛星端末とデータ交換するように構成された少なくとも１つの通信衛星とを含み、前記ノードおよび前記コアネットワークがともに前記トラフィックソースを構成する、請求項１７に記載の設備。
【請求項１９】
前記衛星アクセスネットワークが、トラフィックソースに接続された少なくとも１つの衛星ゲートウェイと、前記基地局の１つおよび前記ノードに接続された少なくとも１つの衛星端末と、無線によって前記衛星ゲートウェイおよび前記衛星端末とデータ交換するように構成された少なくとも１つの通信衛星とを含む、請求項１７に記載の設備。
【請求項２０】
前記衛星アクセスネットワークが、第２のコアネットワークに接続されて第２のコアネットワークとともに前記トラフィックソースを構成する衛星ノードに接続された少なくとも１つの衛星ゲートウェイと、前記基地局の１つおよび前記ノードに接続された少なくとも１つの衛星端末と、前記衛星ゲートウェイ、前記衛星端末、およびユーザ機器と無線によってデータ交換するように構成された少なくとも１つの通信衛星とを含み、前記ユーザ機器が、前記資源を介して前記基地局とデータ交換するように構成される、請求項１７に記載の設備。
【請求項２１】
各ノードが無線ネットワーク制御装置であり、かつ各基地局がノードＢである、ＵＭＴＳ通信ネットワークにおける請求項１から２０のいずれか一項に記載の装置および設備の使用。
【発明の詳細な説明】
【技術分野】
【０００１】
本発明の分野は、ネットワーク内の端末間通信の分野であり、より詳細には、ネットワークの基地局によって提供される、任意の形式（無線、光学、機械（特に音響）、電気（アナログ）資源）の資源制御の分野である。
【０００２】
本明細書では、「端末」という用語は任意のネットワーク機器を表し、詳細には、固定または可搬コンピュータ、移動電話、サーバなど任意のユーザ機器を表す。
【背景技術】
【０００３】
本出願は、参照によってその開示全体が本明細書に組み込まれる、２００２年８月１日出願のフランス特許出願第０２  ０９  ８１９号に基づき、その優先権を米国特許法第１１９条のもとで主張する。
【０００４】
当業者であれば承知しているように、通信ネットワーク（または設備）は一般に、それぞれインタフェースを介して１つまたは複数の送受信基地局に結合された、１つまたは複数のノードに結合されたコアネットワーク（ＣＮ）を備える。各送受信基地局は、それぞれが一地域、たとえば無線地域をカバーする１つまたは複数のセルに関連づけられ、その地域には、移動電話などの１つまたは複数のユーザ機器を配置することができる。これらのノードは、ＧＳＭおよびＧＰＲＳネットワークなど２Ｇおよび２．５Ｇネットワークの基地局制御装置（ＢＳＣ）として、またはＵＭＴＳネットワークなど３Ｇネットワークの無線ネットワーク制御装置（ＲＮＣ）として知られている。また、基地局は、ＧＳＭまたはＧＰＲＳネットワークの送受信基地局（ＢＴＳ）として、またＵＭＴＳネットワークのノードＢとして知られている。
【０００５】
ＵＭＴＳネットワークでは、たとえば、ＲＮＣがノードＢを制御し、特にその無線資源を管理し、Ｉｕｂインタフェースを介してコアネットワークとノードＢとの間のトラフィックの地上転送を制御する。より正確には、Ｉｕｂインタフェースは、図１に示すように異なるネットワーク要素（ＲＮＣおよびノードＢ）に分割されるプロトコルのスタックを備える。
【０００６】
無線（Ｕｕ）インタフェースにおいて伝送されるフレーム部分に関して、ノードＢ内に実装されたＩｕｂインタフェースを管理するプロトコルスタック部分は、いくつかの機能を有するフレームプロトコル（ＦＰ）モジュールを備える。具体的には、Ｉｕｂインタフェースにおいて移送（ｔｒａｎｓｐｏｒｔ）ブロック（すなわち、次いで無線モデム（またはノードＢの物理層（ＰＨＹ））によって送信または受信される無線フレームのブロック）を移送する機能と、ＲＮＣからノードＢまで電力制御（外部ループ）情報を移送する機能と、移送チャネル同期機構をサポートする機能と、ノードＢの同期機構をサポートする機能と、ＲＮＣの無線インタフェースからノードＢにパラメータを転送する機能とである。
【０００７】
ノードＢ内に実装されたプロトコルスタックの部分は、Ｕｕインタフェースにおいて端末との通信を制御するための２つのサブシステムを備える。
【０００８】
第１のサブシステムは、ブロードキャスト制御チャネル（ＢＣＣＨ）を管理する。この目的のために、無線インタフェースの層２および３の一部分、特に無線資源制御（ＲＲＣ−ｂ）、無線リンク制御（ＲＬＣ−ｂ）、およびメディアアクセス制御（ＭＡＣ−ｂ）部分が、ノードＢに実装される。それゆえノードＢは、第１に、ＢＣＣＨのシステムブロックに、それが管理するセルの特定の無線パラメータに関する情報を挿入することができ（ＲＲＣ−ｂ機能）、第２に、システム情報ブロックを移送ブロックに区分することができ（ＲＬＣ−ｂ機能）、第３に、ＢＣＣＨスケジューリングを扱うことができる（ＭＡＣ−ｂ機能）。
【０００９】
第２のサブシステムは、ノードＢを管理する。このサブシステムは、いくつかの機能を有する、ノードＢアプリケーション部（ＮＢＡＰ）プロトコルを備える。具体的には、ＲＮＣがノードＢの制御下にあるセル構成情報を管理することを可能にする、セル構成管理機能と、ＲＮＣが前記チャネルを構成することを可能にする、共通移送チャネル管理機能と、ノードＢがその無線資源の状況をＲＮＣに通知することを可能にする、「資源」イベント管理機能と、ＲＮＣおよびノードＢが、それらが同じ無線資源構成情報を保持することを確認すること、および適切であればその情報を調整することを可能にする、構成整合機能である。
【００１０】
上述したネットワークは、標準的な動作モードでは、すなわちコアネットワークとユーザ機器との間でデータが交換されるときは、全体的に満足できるものである。一方、たとえ一時的にでも、ユーザ機器およびコアネットワークを既に構成しているもの以外のトラフィック資源を、たとえば衛星リンクを介してこの形式のネットワークに接続する必要がある場合は、当該のノード（ＲＮＣ）と基地局（ノードＢ）との間のＩｕｂインタフェースのレベルでそれを行わなければならない。このことは、いくつかの問題を引き起こす。たとえ一時的にでもコアネットワークからトラフィックを基地局（ノードＢ）に直接、ＲＮＣを経由せずに転送する必要がある場合、またはトラフィックの伝送に、たとえば従来の地上リンクではなく衛星リンクを使用する（これは、「衛星を介した迂回中継」として知られている）必要があるときも、同様の問題が起こる。
【００１１】
上述の問題には、特に基地局（ノードＢ）までの伝送時間遅延の増加が含まれる。この問題は、たとえば無線リソースなどのリソースを管理するためのアルゴリズムの動作（コードの割当て、電力制御、ハンドオーバなど）の相当な妨げとなり、それがサービスの質の低下として反映される。この問題は、特に衛星を介した迂回中継の場合には深刻である。
【００１２】
基地局（ノードＢ）のリソース、たとえば無線リソースを制御する問題や、物理層（ＰＨＹ）のプログラミングの問題、「レベル２」保護の問題もある。これらの機能は、ノード（ＲＮＣ）内にあり、その関連するプロトコルはＩｕｂインタフェースにおいて動作する。新しいトラフィック資源を、たとえば衛星リンクを介して挿入するには、衛星リンクにＩｕｂインタフェースの機能を導入することが必要となる。これは、基地局（ノードＢ）を追加インタフェースに結合することに相当する。ただし、ＲＮＣによって制御される部分に関しては、汎用地上無線インタフェース網（ＵＴＲＡＮ）のアーキテクチャにより、単一Ｉｕｂインタフェースを介してのみ、ノードＢの管理ができるようになる。
【００１３】
基地局（ノードＢ）の制御下にあるチャネルの基準クロックの同期を制御するという問題もある。この問題は、基地局をたとえばデータブロードキャストの導入、特に衛星の設置において、地上中継器として使用する場合には特に深刻である。この形式の設置においては、衛星は、同じトラフィックを第１の周波数ｆＭＳＳおよび第２の周波数ｆＦＳＳで、それぞれ基地局（ノードＢ）が管理するセル内のユーザ機器（ＵＥ）と、該基地局とに伝送し、基地局は、受信した該トラフィックを周波数ｆＭＳＳで当該のユーザ機器に中継する。この結果、ユーザ機器は、同じトラフィックを同じ周波数ｆＭＳＳで２回受信することができるが、時間にずれがあり、それによって衝突が生じる。
【００１４】
【特許文献１】フランス特許出願公開第０２  ０９  ８１９号明細書
【非特許文献１】ＥＴＳＩ、「Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）；  ＵＴＲＡＮ  Ｉｕｂ  Ｉｎｔｅｒｆａｃｅ：  Ｇｅｎｅｒａｌ  Ａｓｐｅｃｔｓ  ａｎｄ  Ｐｒｉｎｃｉｐｌｅｓ（３ＧＰＰ  ＴＳ  ２５．４３０  ｖｅｒｓｉｏｎ  ５．１．０  Ｒｅｌｅａｓｅ  ５）」、ＥＴＳＩ  ＴＳ  １２５  ４３０  Ｖ５．１．０（２００２−０６）、２００２年６月、頁１−２６、  ＸＰ００２２３７６００、仏国
【非特許文献２】ＥＴＳＩ、「Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）；  ＵＴＲＡＮ  Ｉｕｂ／Ｉｕｒ  Ｉｎｔｅｒｆａｃｅ  Ｕｓｅｒ  ＰＬａｎｅ  Ｐｒｏｔｏｃｏｌ  ｆｏｒ  ＤＣＨ  Ｄａｔａ  Ｓｔｒｅａｍｓ（３ＧＰＰ  ＴＳ  ２５．４２７  ｖｅｒｓｉｏｎ  ４．２．０  Ｒｅｌｅａｓｅ  ４）」、ＥＴＳＩ  ＴＳ  １２５  ４２７  Ｖ４．２．０（２００１−０８）、２００１年９月、頁１−３３、  ＸＰ００２２３７６０１、仏国
【非特許文献３】ＤＥＬＬＩ  ＰＲＩＳＣＯＬＩ  Ｆ、「ＵＭＴＳ  Ａｒｃｈｉｔｅｃｔｕｒｅ  Ｆｏｒ  Ｉｎｔｅｇｒａｔｉｎｇ  Ｔｅｒｒｅｓｔｒｉａｌ  Ａｎｄ  Ｓａｔｅｌｌｉｔｅ  Ｓｙｓｔｅｍｓ」、ＩＥＥＥ  ＭＵＬＴＩＭＥＤＩＡ、ＩＥＥＥ  ＣＯＭＰＵＴＥＲ  ＳＯＣＩＥＴＹ、米国、第６巻、第４号、１９９９年１０月、頁３８−４５、ＸＰ０００８８０６０３、ＩＳＳＮ：１０７０−９８６Ｘ
【非特許文献４】ＯＢＲＡＤＯＶＩＣ  Ｖ、「Ｅｖｏｌｕｔｉｏｎ  Ｐｈａｓｅｓ  Ｉｎｔｅｇｒａｔｉｎｇ  Ｓａｔｅｌｌｉｔｅ  Ａｎｄ  Ｔｅｒｒｅｓｔｒｉａｌ  Ｎｅｔｗｏｒｋｓ  Ｉｎ  Ｔｈｅ  Ｃｏｎｆｉｇｕｒａｔｉｏｎ  Ｏｆ  Ｓ−ＵＭＴＳ」１９９９  ＩＥＥＥ  ４９ＴＨ、ＶＥＨＩＣＵＬＡＲ  ＴＥＣＨＮＯＬＯＧＹ  ＣＮＦＥＲＥＮＣＥ．  ＨＯＵＳＴＯＮ、ＴＸ、１９９９年５月１６−２０日、ＩＥＥＥ  ＶＥＨＩＣＵＬＡＲ  ＴＥＣＨＮＯＬＯＧＹ  ＣＯＮＦＥＲＥＮＣＥ、  ＮＥＷ  ＹＯＲＫ、ＮＹ：ＩＥＥＥ、米国、第２巻  ＣＯＮＦ．４９、１９９９年５月１６日、頁１３７５−１３７９、ＸＰ０００９０３２７０  ＩＳＢＮ：０−７８０３−５５６６−０
【発明の開示】
【発明が解決しようとする課題】
【００１５】
したがって、本発明の目的は、上に述べた欠点の一部または全部を解決することである。
【課題を解決するための手段】
【００１６】
この目的のために、資源を有する少なくとも１つの基地局と、コアネットワークに接続され、かつインタフェースを介してその資源を制御するように基地局に接続された少なくとも１つの地上ノードとを含む、通信設備用のデータ管理装置を提案する。このデータ管理装置は、トラフィック資源と基地局との間のデータ転送を可能にするために、トラフィック資源およびインタフェースに結合されるように構成され、かつコマンドに従って、ノードの代わりに基地局の少なくとも一部の資源のローカルな制御を行うように構成された制御手段を含む。
【００１７】
それゆえ、トラフィックソースからトラフィックを伝送するための、少なくとも１つの基地局の全部または一部の資源を、ノードによる使用を禁止（または封鎖（ｂｌｏｃｋ））して一時的に確保することが可能である。この介入はノード／基地局インタフェースのレベルで行われ、それゆえノード、基地局、およびインタフェースにおいて動作するプロトコルにとって透過的である。
【００１８】
制御手段は、以下のことを行うために、資源管理専用のプロトコルスタックの少なくとも一部分を含むことが好ましい。すなわち、
基地局によって管理される少なくとも１つのセルの少なくとも一部分の構成および関連する資源の管理、
基地局によって管理されるデータ移送チャネルの少なくとも一部分の構成の制御、
基地局によって生成され、その資源の状況を表す「資源」イベントの管理、
基地局およびノードが同一の構成情報を保持することの確認。
【００１９】
制御手段は、少なくとも、基地局の制御下にあるチャネルの同期管理専用のプロトコルスタックの部分を含むことが好ましい。
【００２０】
上述の実施形態において、資源管理および同期専用のプロトコルスタック部分は、ノードＢのアプリケーション部プロトコルの少なくとも一部分と、無線資源制御プロトコルの少なくとも一部分と、フレームプロトコルの少なくとも一部分と、無線リンク制御プロトコルの少なくとも一部分と、メディアアクセス制御プロトコルの少なくとも一部分と、パケットデータコンバージェンスプロトコルの少なくとも一部分と、ブロードキャスト／マルチキャスト制御プロトコルの少なくとも一部分とを含む群から選択されることが好ましい。この場合、ノード内に設置される前述のプロトコル部分は、装置内で複製される。
【００２１】
制御手段は、有利には、トラフィックソースからのトラフィックを、また、ノードからのトラフィックをフィルタリングするように構成されたフィルタモジュールを含む。制御手段は、資源が封鎖されたことを示すメッセージをノードに送信するように構成された、メッセージ生成モジュールをさらに含むことが好ましい。
【００２２】
制御手段は、有利には、３段階でローカル資源の制御を行う。第１段階は、１つまたは複数の基地局によって管理される１つまたは複数のセル内にある１つまたは複数のユーザ機器にアドレス指定されたトラフィックの伝送を求める、トラフィックソースからの要求を受信したとき（好ましくはフィルタモジュールによって）開始される。これにより、資源確保要求の当該の各基地局への送信が行われる。第２段階は、問合せを受けた各基地局が、応答メッセージを制御手段に送信することによって開始される。基地局の資源の利用可能性を示すメッセージを受信すると、制御手段は、基地局が結合されているノードに、利用可能な資源が封鎖されていることを伝えるメッセージを送信する。第３段階は、トラフィックソースからトラフィックを伝送することによって開始される。伝送の最後に、制御手段（好ましくはそのメッセージ生成モジュール）は、使用されていた資源を解放するようにとのメッセージを各基地局に、また、これらの資源の封鎖が解除され、再度利用可能になったというメッセージをノードに送信する。
【００２３】
装置の制御手段は、有利には、トラフィックソースおよび（地上）ノードからのトラフィックの伝送時間遅延の逸脱を考慮することができる、同期適合モジュールをさらに含む。
【００２４】
さらに、第１および第２の周波数で、それぞれ基地局によって管理されるセル内に配置されたユーザ機器、および基地局に、無線によってトラフィックソースからデータを伝送するように構成された手段を含む設備では、制御手段が、第１および第２の周波数におけるデータの伝送時間の差を表す伝送差を計算するように、また、受信されて基地局に送信されるデータを、計算された差に実質的に等しい分だけ遅延させるように構成されることが好ましい。
【００２５】
装置の制御手段は、それをトラフィックソースから供給を受ける基地局と衛星とに結合された基地局または端末、たとえば衛星に接続するための接続インタフェースを備えたモジュール内に導入されることができる。この場合、装置はプラグアンドプレイ形式である。ただし、その代わりに、本発明による装置を、トラフィックソースから供給を受ける基地局および衛星に結合された、各基地局または衛星端末内に直接設置することもできる。
【００２６】
本発明はまた、資源を有する少なくとも１つの基地局と、第１のコアネットワークに接続され、かつその資源をインタフェースを介して制御するように基地局に接続された、少なくとも１つの地上ノードとを含む通信設備を提供する。この設備は、上記で規定した装置を含む。
【００２７】
設備は、有利には、以下の形態の１つをとる衛星アクセスネットワークをさらに含む。
【００２８】
ノードに接続された少なくとも１つの衛星ゲートウェイと、基地局の１つに接続された少なくとも１つの衛星端末と、無線によって衛星ゲートウェイおよび衛星端末とデータ交換するように構成された少なくとも１つの通信衛星とを含み、ノードおよびコアネットワークがともにトラフィックソースを構成する。
【００２９】
トラフィックソースに接続された少なくとも１つの衛星ゲートウェイと、基地局の１つおよびノードに接続された少なくとも１つの衛星端末と、無線によって衛星ゲートウェイおよび衛星端末とデータ交換するように構成された少なくとも１つの通信衛星とを含む。
【００３０】
第２のコアネットワークに接続された衛星ノードに接続されて、第２のコアネットワークとともにトラフィックソースを構成する少なくとも１つの衛星ゲートウェイと、基地局の１つおよびノードに接続された少なくとも１つの衛星端末と、衛星ゲートウェイ、衛星端末、およびユーザ機器と無線によってデータ交換するように構成された少なくとも１つの通信衛星とを含み、該ユーザ機器が、資源を介して基地局とデータ交換するように構成される。
【００３１】
ただし、トラフィックソースは、代わりに地上ソースであってもよく、本発明は、一般に１つまたは複数の設備の複数の部分が相対的に発散した伝送時間遅延を有する、すべての状況に関する。したがって、トラフィックソースは、トラフィックの速度を低下させるルータに結合された伝送路を備えることができる。
【００３２】
本発明は、ＵＭＴＳ（３Ｇ）通信ネットワークへの適用が特に有利であり、その適用において、各ノードは無線ネットワーク制御装置（ＲＮＣ）であり、各基地局はノードＢである。
【００３３】
本発明の他の特徴および利点は、以下の詳細な説明を読み、添付の図面を吟味すれば明らかになるであろう。
【発明を実施するための最良の形態】
【００３４】
添付の図面は、本発明の追加の情報を提供するばかりでなく、必要であればその定義に役立つこともある。
【００３５】
本発明を、まず図１および２を参照して説明する。
【００３６】
本発明による装置Ｄは、少なくとも１つの通信ネットワーク、好ましくはＵＭＴＳ（３Ｇ）ネットワークを備える通信設備内に設置するためのものである。
【００３７】
導入部分で示したように、また、後で説明する図６〜８のいずれにも示すように、ＵＭＴＳネットワークは、本発明を理解するためには十分正確であるが、非常に大まかには、以下のものを備えるアクセスネットワークに結合されたコアネットワーク（ＣＮ）を備えるものと説明することができる。すなわち、
Ｉｕインタフェースを介してコアネットワーク（ＣＮ）に結合された無線ネットワーク制御装置（ＲＮＣ）として知られている複数のノード、および
ノードＢとしても知られており、移動電話などの１つまたは複数のユーザ機器（ＵＥ）を配置することができ、かつＲＮＣの１つに個別にまたは少なくとも２つずつの群で、Ｉｕｂ論理インタフェース、一般には地上インタフェースを介して結合することができる、それぞれ１つの無線地域をカバーする１つまたは複数のセルとそれぞれ関連づけられた、複数の送受信基地局。Ｉｕｂインタフェースは、異なる伝送時間遅延を有する、たとえば有線リンクまたはＬＤＭＳ（固定無線）リンクを備えることができる。
【００３８】
図１および２に示すように、また、導入部分で説明したように、上述のユニットは、当業者によく知られている様々な機能を、分散プロトコルスタックを使用して提供する。本発明による装置Ｄは、Ｉｕｂインタフェースを介してノードＢが結合されているＲＮＣの代わりに、少なくとも１つのノードＢの無線資源の少なくとも一部分の制御を行うことを意図している。ノードＢの無線資源の管理に関わるプロトコルのみを以下に列挙する。
【００３９】
・ユーザ機器ＵＥとノードＢとの間の通信をセットアップおよび停止するときに特に使用する、信号接続を管理する無線資源制御（ＲＲＣ）モジュール（または層）。たとえば、ＲＲＣモジュールは、ブロードキャスト制御チャネル（ＢＣＣＨ）のシステムブロックに、セルの特定の無線パラメータに関連する情報を挿入する。
【００４０】
・２つのネットワーク装置間のデータの移送を管理し、特にシステム情報ブロックを移送ブロックに分割する、無線リンク制御（ＲＬＣ）モジュール（または層）。
【００４１】
・ノードＢが管理する様々な移送チャネルにデータを多重化する、言い換えればＢＣＣＨなどの様々なチャネルをスケジュールする機能を扱う、メディアアクセス制御（ＭＡＣ）モジュール（または層）。
【００４２】
・ネットワークデータ移送プロトコルと比較して、無線プロトコルの、ＵＴＲＡＮ、特にＲＬＣおよびＭＡＣ層からの独立性を管理し、データまたはデータパケットヘッダーの圧縮を扱う、パケットデータコンバージェンスプロトコル（ＰＤＣＰ）モジュール（または層）。
【００４３】
・無線インタフェースにおいて、マルチメディアデータなどすべての形式のデータのブロードキャストを管理する、ブロードキャスト／マルチキャスト制御（ＢＭＣ）モジュール（または層）。
【００４４】
・無線インタフェースの物理層を構成し、コーディング、インターリーブ、モジュール化機能を扱う、モデムとも呼ばれる物理（ＰＨＹ）モジュール（または層）。
【００４５】
・Ｉｕｂインタフェースにおける移送ブロックの移送と、ＲＮＣからノードＢへの電力制御情報の移送とを管理し、移送チャネル同期機構およびノードＢ同期機構をサポートし、ＲＮＣからノードＢへの無線インタフェースパラメータの移送を管理する、フレームプロトコル（ＦＰ）モジュール（または層）。
【００４６】
・ノードＢが制御するセルの構成と、共通移送チャネルと、ノードＢがその無線資源の状況をＲＮＣに知らせることを可能にする「資源」イベントと、ＲＮＣおよびノードＢが、それらが同じ無線資源構成情報を保持することを確認すること、および適切であればその情報を調整することを可能にする構成の整合とを管理する、ノードＢアプリケーション部（ＮＢＡＰ）モジュール（または層）。
【００４７】
ＰＤＣＰ／ＢＭＣ、ＲＲＣ、ＲＬＣ、およびＭＡＣ層は、ユーザ機器ＵＥおよびＲＮＣに分散される（図５）。ＰＨＹ層はユーザ機器ＵＥとノードＢに分散される。ＦＰおよびＮＢＡＰ層は、ノードＢとＲＮＣに分散され、ノードＢをＲＮＣに（たとえば有線または無線（ＬＤＭＳ）リンクによって）リンクする層Ｌ１をさらに含む。
【００４８】
図２〜５に示すように、本発明による装置Ｄは、好ましくは一時的に、かつコマンドに従って、ノードＢに結合したＲＮＣの代わりに、１つまたは複数のノードＢの一部または全部の無線資源のローカルな制御を引き受けるように構成された、制御モジュールＭを含む。こうした制御を行うことにより、起点に関係なく、トラフィックソースからトラフィックを伝送することができる。もちろん、「主な」ネットワークまたは設備のオペレータの許可によってのみ制御を行うことができる。
【００４９】
制御モジュールＭは、電子回路、ソフトウェア（データ処理）モジュール、または回路とソフトウェアの組合せの形をとることができる。
【００５０】
図２に示すように、トラフィックソースＴＳは、ＲＮＣに接続されたコアネットワークＣＮの外部にあってもよい。ただし、図６を参照して後で説明するように、トラフィックソースはコアネットワークＣＮそのものでもよい。この後者の状況は、ＲＮＣとノードＢの間の接続をセットアップするための地上リンクの使用がもはや不可能な場合、またはもはや必要ではない場合に特に有利である。
【００５１】
図２の例では、トラフィックソースＴＳは、衛星リンクＳＡＴを介して装置Ｄに結合される。この例において、装置Ｄは、制御モジュールＭを装備し、かつ装置ＤをノードＢ、およびノードＢとそれに対応するＲＮＣとの間のＩｕｂインタフェースに結合するための接続インタフェース（図示せず）を備えたユニットを含む。装置Ｄはそれゆえ、ノードＢおよびＲＮＣに対してだけではなく、Ｉｕｂインタフェースにおいて動作するプロトコルに対しても透過的に、ノードＢとＩｕｂインタフェースとの間に挿入される。
【００５２】
装置Ｄのこうしたプラグアンドプレイの実施形態においては、そのローカルな無線資源を一時的に、またコマンドに従って制御することができる各ノードＢに対して、装置Ｄを提供する必要がある。もちろん、図６〜８を参照して後で説明するように、装置Ｄの他の実施形態も考えることができる。
【００５３】
ノードＢに結合されたローカルな無線資源を制御できるためには、装置Ｄ（より正確にはその制御モジュールＭ）は、後で説明する複数の専用モジュールと、ＲＮＣ内に設置され、かつ該制御専用の（ＵＭＴＳネットワークの場合には）３ＧＰＰによって標準化されたプロトコル（または層）のスタック部分とを含む。したがって、装置Ｄは、第１にノードＢの管理および構成専用のＮＢＡＰ層部分（図３を参照）、第２に信号転送専用のＦＰ、ＲＲＣ、ＲＬＣ、およびＭＡＣ層部分、第３にトラフィックソースＴＳとユーザ機器ＵＥの間のトラフィック転送専用のＰＤＣＰ／ＢＭＣ、ＲＬＣ、ＭＡＣ、およびＦＰ層部分を含む。
【００５４】
第１の専用モジュールは、第１にトラフィックソースＴＳから届くトラフィック、第２にＲＮＣから届く地上トラフィックをフィルタリングするように構成される。フィルタモジュールにより、装置Ｄは、トラフィックソースＴＳが、それが結合されたノードＢを介してトラフィックを伝送する必要があることを検出でき、次いで資源確保要求手順の開始に従って動作することができる。
【００５５】
第２の専用モジュールは、ＲＮＣに、それがＩｕｂインタフェースを介して結合されたノードＢの資源が封鎖されたことを伝えるメッセージを生成するように構成される。
【００５６】
第３の専用モジュールは、装置Ｄにおいて起こる様々なトラフィックストリームの同期を適合させるように構成され、装置Ｄが結合されたノードＢに対応する。これによって、トラフィックソースからとＲＮＣからのトラフィックの伝送時間遅延の逸脱が補償される。
【００５７】
図４および５の矢印は、先に述べた動作に関わる層を通り、トラフィックソースＴＳからユーザ機器ＵＥまでの、装置ＤおよびノードＢを経由するデータの物理経路を指す。さらに、図４および５において、層ＡＰＰは、トラフィックソースＴＳ内およびユーザ機器ＵＥ内に導入されたアプリケーション層である。
【００５８】
専用モジュールと、プロトコルスタックの先に述べた部分とを備えることによって、装置ＤはＲＮＣの代用となることができ、それが結合されたトラフィックソースＴＳとそれが結合されたノードＢとの間のトラフィック伝送（またはデータ転送）を可能にする。
【００５９】
データは、たとえば以下の方法で、トラフィックソースＴＳからノードＢまで転送することができる。
【００６０】
第１段階では、トラフィックソースＴＳは、たとえば衛星リンクＳＡＴを介して、装置Ｄに結合したノードＢが制御するセルの１つの中に配置された１つまたは複数のユーザ機器ＵＥにアドレス指定されたトラフィックの転送を求める要求を装置Ｄに送信する。この要求を受信すると、装置Ｄの制御モジュールＭは、ノードＢにそのローカルな無線資源の一部または全部の確保を求める要求を送信する。
【００６１】
第２段階では、ノードＢはその無線資源の利用可能性を評価し、次いでトラフィックソースＴＳに対して利用可能にできる資源を指定する応答メッセージを、制御モジュールＭに送信する。これが制御モジュールにとって適当であれば、提供された資源を（トラフィック伝送のために）封鎖しなければならないことを伝えるメッセージをノードＢに送信し、どの資源を封鎖するかを伝えるメッセージを、Ｉｕｂインタフェースを介して当該のＲＮＣに送信する。
【００６２】
第３段階では、制御モジュールＭは、トラフィックソースＴＳに、トラフィックをノードＢに転送してもよいと伝えることができる。この解決方法は好ましいが、一部の形式の衛星ネットワークでは、情報を衛星に戻すための対策がなく、装置による許可を待たずに、衛星からのトラフィックが装置Ｄに直接送信される。データ（またはトラフィック）の送信が終わると、制御モジュールＭは、使用されていた無線資源を解放してもよいと伝えるメッセージをノードＢに、また、資源の封鎖が解除されたこと、およびノードＢのすべての無線資源を再度制御できることを伝えるメッセージを、Ｉｕｂインタフェースを介してＲＮＣに送信する。
【００６３】
次に図６〜８を参照して、本発明による設備の３つの実施形態をより詳しく説明する。
【００６４】
図６に示した実施形態は、より具体的には、当業者が言うところの衛星を介した迂回中継専用である。それは、ユーザ機器ＵＥとコアネットワークＣＮとの間の地上リンクにおいて、ノードＢおよびＲＮＣを介して通常循環するすべてのトラフィックを、衛星リンクを介して転送するという問題である。したがって、この例において、コアネットワークＣＮはトラフィックソースＴＳを構成する。
【００６５】
この例では、衛星アクセスネットワークＳＡＮを使用し、それはコアネットワークＣＮにアクセスするためにＲＮＣに接続された衛星ゲートウェイＳＧと、それぞれが好ましくはノードＢに接続された１つまたは複数の送信／受信衛星端末ＳＴと、衛星ゲートウェイＳＧおよび衛星端末ＳＴと無線によって周波数ｆＦＳＳでデータ交換するように構成された少なくとも１つの衛星ＳＡＴとを含む。衛星リンクは、衛星インタフェースＩｕｂＳを構成する。さらに、ＲＮＣはサービス機能および制御機能の両方を提供する。したがって、「制御およびサービスＲＮＣ」と呼ばれる。
【００６６】
図示した例では、各ノードＢは、衛星端末ＳＴから届くデータをすべてフィルタリングする、本発明による装置Ｄを備える。図２に示した第１の変形形態では、この装置はプラグアンドプレイ形式であってもよく、この場合、装置はノードＢとそれに対応する衛星端末ＳＴの間に置かれる。第２の変形形態では、装置Ｄは、衛星リンクからのデータがノードＢに到達する前にフィルタリングできるように、衛星端末ＳＴ内に設置してもよい。
【００６７】
ＵＭＴＳ無線インタフェースの厳しいリアルタイム制限を満たすためには、装置Ｄの制御モジュールＭは、ＵＭＴＳネットワーク内で通常使用される地上リンクに比較して、衛星リンクによって引き起こされる時間遅延を考慮するように構成される。ネットワークが供給するサービスは、通常（伝送時間遅延が少ない）地上リンクを介して提供され、その結果、リンクの特性が変わると、サービスの質を低下することなく維持するように、機器を再構成しなければならない。
【００６８】
図７に示す実施形態は、より具体的には「外部」トラフィックの挿入専用である。コアネットワークＣＮから通常発する「内部」トラフィックの代わりに、またはそれに追加して、コアネットワークＣＮの外部にあるトラフィックソースＴＳから発するトラフィックを、たとえば衛星リンクを介して転送するためのＵＭＴＳネットワークが供給するインフラストラクチャの活用の問題である。
【００６９】
この実施形態はまた、衛星アクセスネットワークＳＡＮを使用し、それは、トラフィックソースＴＳに接続された衛星ゲートウェイＳＧと、それぞれ好ましくはノードＢに接続された１つまたは複数の送信／受信衛星端末ＳＴと、衛星ゲートウェイＳＧおよび衛星端末ＳＴと無線によって周波数ｆＦＳＳでデータ交換するように構成された少なくとも１つの衛星ＳＡＴとを含む。衛星リンクは、衛星インタフェースＩｕｂＳを構成する。さらに、各衛星端末ＳＴは、ノードＢに接続されている（「プラグインされている」）ことにより、地上インタフェースＩｕｂＴを介して、コアネットワークＣＮに結合されたＲＮＣにも接続される。衛星端末ＳＴとノードＢとの間の接続は、トラフィックソースＴＳから届く外部トラフィックを、コアネットワークＣＮから届く内部トラフィックと分離するために、二重にすることが好ましい。
【００７０】
図示した例では、各ノードＢは、衛星端末ＳＴから届く「外部」データおよびＲＮＣから届く「内部」データをすべてフィルタリングする、本発明による装置Ｄを備える。図２に示した第１の変形形態では、この装置はプラグアンドプレイ形式であってもよく、その場合は、ノードＢとそれに対応する衛星端末ＳＴとの間に置かれる。第２の変形形態では、装置Ｄは、衛星インタフェースＩｕｂＳおよび地上インタフェースＩｕｂＴからのデータがノードＢに到達する前にフィルタリングできるように、衛星端末ＳＴ内に設置してもよい。
【００７１】
この例では、内部および外部トラフィックは、どちらもノードＢが提供するローカル無線資源を共用するか、またはそれ自体の別個の資源を備えなければならない。ここで、内部トラフィックと外部トラフィックのために使用される移送チャネル間の同期差のため、装置Ｄは、ネットワーク機器をトラフィックの起点に応じて構成するように、特に移送チャネルを同期させるように構成される。
【００７２】
図８に示す実施形態は、図７の設備の変形形態である。より具体的には、衛星マルチメディアデジタルブロードキャスト設備において、ノードＢを専ら地上中継器として使用する。この場合、第１のコアネットワークＣＮ１などの地上ＵＭＴＳネットワークのノードＢによって提供される資源の利用が問題である。この資源の利用は、第２のコアネットワークＣＮ２などの衛星ネットワークからトラフィックを地上中継し、無線によって衛星ＳＡＴを経由してユーザ機器ＵＥに直接伝送するためである。
【００７３】
この実施形態では、ＲＮＣＳを介して（第２のトラフィックソースを構成する）第２のコアネットワークＣＮ２に接続された衛星ゲートウェイＳＧと、それぞれ好ましくはノードＢに接続される１つまたは複数の送信／受信衛星端末ＴＳと、無線によって第１の周波数ｆＦＳＳおよび第２の周波数ｆＭＳＳでそれぞれ衛星端末ＳＴおよびユーザ機器ＵＥとデータ交換するように構成された少なくとも１つの衛星ＳＡＴとを含む、衛星アクセスネットワークＳＡＮを使用する。衛星ＳＡＴ、衛星端末ＳＴ、衛星ゲートウェイＳＧの間の衛星リンクは、衛星インタフェースＩｕｂＳを構成する。さらに、各衛星端末ＳＴは、コアネットワークＣＮに結合されたＲＮＣＴにも地上インタフェースＩｕｂＴを介して接続される。衛星端末ＳＴとノードＢとの間の接続は、第１のコアネットワークＣＮ１からのトラフィックを、第２のコアネットワークＣＮ２からのトラフィックと分離するために、二重にすることが好ましい。
【００７４】
衛星端末ＳＴからのトラフィックおよび衛星ＳＡＴからのトラフィックは、それぞれ異なる搬送周波数で、ＵＭＴＳ無線チャネルで伝送される。具体的には、中継器ノードＢは、当該のユーザ機器ＵＥに周波数ｆＭＳＳで中継すべきトラフィックを、衛星ＳＡＴから周波数ｆＦＳＳで受信する。ＲＮＣからのトラフィックは、周波数ｆＭＳＳとは異なる周波数でノードＢによって送信される。
【００７５】
図示した例では、各ノードＢは、周波数ｆＦＳＳの衛星端末ＳＴからの「外部」データおよびＲＮＣＴからの「内部」データをすべてフィルタリングする、本発明による装置Ｄを備える。図２に示した第１の変形形態では、この装置はプラグアンドプレイ形式でもよく、その場合、ノードＢとそれに対応する衛星端末ＳＴとの間に置くことができる。第２の変形形態では、装置Ｄは、衛星インタフェースＩｕｂＳおよび地上インタフェースＩｕｂＴからのデータがノードＢに到達する前にフィルタリングできるように、地上衛星ＳＴ内に設置してもよい。
【００７６】
この例では、内部トラフィックと外部トラフィックは、ノードＢが提供するローカル無線資源を共用するか、またはその資源を完全に、ただし別個に提供されなければならない。ここで、２つの異なるＲＮＣ（ＲＮＣＳおよびＲＮＣＴ）を使用するので、内部トラフィックと外部トラフィックに使用される移送チャネル間に同期差がある。装置Ｄはそれゆえ、トラフィックの起点に応じてネットワーク機器を構成するように、特に移送チャネルを同期させるように構成される。
【００７７】
さらに、周波数ｆＦＳＳとｆＭＳＳの衛星ＳＡＴからの外部データに異なる処理が適用され、かつそれが異なる経路を取るので、同じデータが、ユーザ機器ＵＥに時間差を伴って到達することがあり、サービスの妨げとなる。この時間差を考慮するためには、衛星ＳＡＴは通常、最大の時間の進み（ｔｉｍｉｎｇ  ａｄｖａｎｃｅ）を伴ってそのトラフィックを周波数ｆＦＳＳで装置Ｄに伝送する。最大の時間の進みは、衛星が静止軌道上にある形式であり、かつ欧州のカバー領域を提供する場合には、衛星が周波数ｆＭＳＳで移動機器に伝送する際に比べて、およそ６．５ミリ秒（ｍｓ）、また、衛星が静止軌道上にある形式であり、かつ国内のカバー領域を提供する場合にはおよそ２．５ｍｓである。この時間の進みにより、ノードＢのレベルでのデータ処理時間を大体補償することができる。
【００７８】
しかし、時間の進みはすべてのノードＢに対して同じである。また、ノードＢは、常に同じ特性および／または同じカバー領域を有してはいないので、すべての状況において、２つのチャネルを介して実質上同時に（または、たとえば３ＧＰＰによってあらかじめ定義された時間窓内で）データをユーザ機器に到達させることはできない。
【００７９】
上で説明した同期モジュールは、この欠点を解消することを意図したものである。それゆえ、同期モジュールは、２つのチャネルを移動するデータが、同じ時間窓内で同じ位置に到達できるようにする伝送差を算出するように構成される。伝送差は、具体的には中継器ノードＢのカバー領域のサイズ、また、おそらく衛星がカバーする領域のサイズに関する関数として計算される。伝送差が算出されると、装置Ｄは、その同期モジュールを使用して、受信したデータのノードＢまでの伝送を、計算した伝送差に実質上等しい分だけ遅延させる。
【００８０】
本発明により、セルおよびトラフィック管理機能の一部を分散させることが可能となり、その結果、それが適切な場合には、衛星リンクを介してネットワークにトラフィックソースを挿入することによって、さらなる時間遅延が引き起こされるのを防ぐことが可能になる。
【００８１】
さらに、本発明は、ノードＢなどの基地局のレベルで直接トラフィックを挿入することができる。これは、たとえば衛星から発するブロードキャストトラフィックを扱うのに非常に有益である。
【００８２】
さらに、本発明は、同じ基地局が管理するセル内に配置されるユーザ機器同士の間のデータ交換にも使用することができる。
【００８３】
最後に、本発明は、たとえば保守または修理のためなどの技術的な理由であっても、アクセスネットワークオペレータがネットワークをアクセス不可能にしたいからであっても、ＲＮＣノードへの基地局の（地上）リンクが切断された場合に、基地局の使用を継続できるようにする。
【００８４】
本発明は、単なる例として上で説明した設備および装置の実施形態に限定されるものではなく、当業者が考えるであろうすべての変形形態を、特許請求の範囲に含むものである。
【００８５】
以上、本発明を、ＵＭＴＳネットワークなどの第３世代（３Ｇ）ネットワークに適用して説明したが、特にオペレータが自身のネットワークの一部分を分離することを望む場合には、変更が必要ならそれを施した上で、他の形式のネットワーク、たとえばＧＳＭやＧＰＲＳネットワークなどの、ＣＤＭＡ２０００ネットワークと２Ｇおよび２．５Ｇネットワークにも適用される。
【００８６】
さらに、本発明は、無線資源に限定されるものではない。本発明は、他の形式の資源、たとえば光学、機械（特に音響）、電気（アナログ）資源にも適用される。
【００８７】
さらに、本発明は、基地局資源の管理専用であるプロトコルスタックの使用に限定されるものではない。本発明は通常、前記プロトコルスタックによって提供される機能に類似または等価な機能のどの実行手段にも適用される。
【図面の簡単な説明】
【００８８】
【図１】ＵＭＴＳネットワークにおける、主な無線資源管理機能およびトラフィック転送機能を示す図である。
【図２】トラフィックソースに結合された、本発明による装置を備えたＵＭＴＳネットワークにおける無線資源管理に関わる主な機能を示す図である。
【図３】本発明による装置を介した、ノードＢの管理および構成に関わるプロトコルスタック部分を示す図である。
【図４】本発明による装置を介した、トラフィックソースとユーザ機器との間の信号の転送に関わるプロトコルスタック部分を示す図である。
【図５】本発明による装置を介した、ユーザトラフィックの伝送に関わるプロトコルスタック部分を示す図である。
【図６】本発明による第１の通信設備の一部分を示す図である。
【図７】本発明による第２の通信設備の一部分を示す図である。
【図８】本発明による第３の通信設備の一部分を示す図である。
【符号の説明】
【００８９】
ＵＥ  ユーザ機器
ＡＰＰ  アプリケーション層
ＲＲＣ  無線資源制御モジュールまたは層
ＲＬＣ  無線リンク制御モジュールまたは層
ＭＡＣ  メディアアクセス制御モジュールまたは層
ＰＨＹ  物理層
Ｎｏｄｅ  Ｂ  ノードＢ
ＦＰ／ＮＢＡＰ  フレームプロトコル／ノードＢアプリケーション部
Ｕｕ  無線インタフェース
ＴＳ  トラフィックソース
ＳＡＴ  衛星
Ｄ  装置
Ｍ  制御モジュール
ＲＮＣ  無線ネットワーク制御装置
【図１】
2004166225.tif 000003
【図２】
2004166225.tif 000004
【図３】
2004166225.tif 000005
【図４】
2004166225.tif 000006
【図５】
2004166225.tif 000007
【図６】
2004166225.tif 000008
【図７】
2004166225.tif 000009
【図８】
2004166225.tif 000010
【外国語明細書】
2004166225.tif 000011
2004166225.tif 000012
2004166225.tif 000013
2004166225.tif 000014
2004166225.tif 000015
2004166225.tif 000016
2004166225.tif 000017
2004166225.tif 000018
2004166225.tif 000019
2004166225.tif 000020
2004166225.tif 000021
2004166225.tif 000022
2004166225.tif 000023
2004166225.tif 000024
2004166225.tif 000025
2004166225.tif 000026
2004166225.tif 000027
2004166225.tif 000028
2004166225.tif 000029
2004166225.tif 000030
2004166225.tif 000031
2004166225.tif 000032
2004166225.tif 000033
2004166225.tif 000034